(57)【特許請求の範囲】
【請求項１】
ユーザ機器（ＵＥ）におけるワイヤレス通信の方法であって、
前記ＵＥによって、および、第１のサブフレームにおいて、ハイブリッド自動再送要求（ＨＡＲＱ）プロセスに関連する最初のアップリンク（ＵＬ）送信を基地局に送信することと、
前記ＵＥによって、および、前記最初のＵＬ送信のためのＨＡＲＱフィードバックが第２のサブフレームにおいて前記基地局から受信される予定よりも前に、前記最初のＵＬ送信のコンテンツが媒体アクセス制御（ＭＡＣ）レイヤデータを備えると決定することと、
前記ＵＥによって、および、前記最初のＵＬ送信のための前記ＨＡＲＱフィードバックが前記第２のサブフレームにおいて前記基地局から受信される予定よりも前に、前記最初のＵＬ送信の前記コンテンツが前記ＭＡＣレイヤデータを備えると決定することに基づいて、前記最初のＵＬ送信のＵＬ再送信が不要であると決定することと、
前記ＵＥによって、前記決定に少なくとも部分的に基づいて間欠受信（ＤＲＸ）スリープ期間を識別することと、
前記ＵＥによって、および、前記第１のサブフレームの後に、前記最初のＵＬ送信のための前記ＨＡＲＱフィードバックが前記基地局から受信される予定である前記第２のサブフレームよりも前に、前記ＤＲＸスリープ期間の間ＤＲＸスリープ状態に入ることと
を備える、方法。
【請求項２】
前記ＤＲＸスリープ期間が、前記ＨＡＲＱプロセスのためのＵＬ再送信サブフレーム期間を含む、または、
前記最初のＵＬ送信の前記ＵＬ再送信が不要であるという前記決定が、前記ＨＡＲＱプロセスに関連する確認応答メッセージ（ＡＭ）にさらに基づく、または、
前記ＤＲＸスリープ期間が、前記ＨＡＲＱプロセスに関連する確認応答メッセージ（ＡＭ）と新しいＨＡＲＱプロセスとの間のサブフレーム期間を備える、または、
前記ＤＲＸスリープ期間が、前記ＨＡＲＱプロセスに関連するアップリンク送信と新しいＨＡＲＱプロセスとの間のサブフレーム期間を備える、または、
前記ＤＲＸスリープ期間が、前記ＨＡＲＱプロセスに関連するダウンリンク（ＤＬ）ＡＭサブフレーム期間を含む、
請求項１に記載の方法。
【請求項３】
前記ＤＲＸスリープ期間が、前記ＨＡＲＱプロセスのための物理ＨＡＲＱインジケータチャネル（ＰＨＩＣＨ）サブフレーム期間を含む、請求項１に記載の方法。
【請求項４】
前記最初のＵＬ送信の前記ＵＬ再送信が不要であると決定することは、
前記ＭＡＣレイヤデータがＭＡＣレイヤパディングデータを含むと決定すること
を備える、請求項１に記載の方法、または、
前記コンテンツが非アプリケーションデータを含む、請求項１に記載の方法。
【請求項５】
前記最初のＵＬ送信の前記ＵＬ再送信が不要であるという前記決定が、前記ＨＡＲＱプロセスに関連する確認応答メッセージ（ＡＭ）にさらに基づき、
前記ＡＭが、前記ＨＡＲＱプロセスに関連する適応再送信の指示なしに送信されたと決定することをさらに備える、請求項１に記載の方法。
【請求項６】
前記ＤＲＸスリープ期間の後にＤＲＸアクティブ状態に入ること
をさらに備える、請求項１に記載の方法。
【請求項７】
ユーザ機器（ＵＥ）におけるワイヤレス通信のための装置であって、
第１のサブフレームにおいて、ハイブリッド自動再送要求（ＨＡＲＱ）プロセスに関連する最初のアップリンク（ＵＬ）送信を基地局に送信するための手段と、
前記最初のＵＬ送信のためのＨＡＲＱフィードバックが第２のサブフレームにおいて前記基地局から受信される予定よりも前に、前記最初のＵＬ送信のコンテンツが媒体アクセス制御（ＭＡＣ）レイヤデータを備えると決定するための手段と、
前記最初のＵＬ送信のための前記ＨＡＲＱフィードバックが前記第２のサブフレームにおいて前記基地局から受信される予定よりも前に、前記最初のＵＬ送信の前記コンテンツが前記ＭＡＣレイヤデータを備えると決定することに基づいて、前記最初のＵＬ送信のＵＬ再送信が不要であると決定するための手段と、
前記決定に少なくとも部分的に基づいて間欠受信（ＤＲＸ）スリープ期間を識別するための手段と、
前記第１のサブフレームの後に、前記最初のＵＬ送信のための前記ＨＡＲＱフィードバックが前記基地局から受信される予定である前記第２のサブフレームよりも前に、前記ＤＲＸスリープ期間の間ＤＲＸスリープ状態に入るための手段と
を備える、装置。
【請求項８】
前記ＤＲＸスリープ期間が、前記ＨＡＲＱプロセスのためのＵＬ再送信サブフレーム期間を含む、または、
前記最初のＵＬ送信の前記ＵＬ再送信が不要であると決定するための前記手段が、前記ＨＡＲＱプロセスに関連する確認応答メッセージ（ＡＭ）にさらに基づく、または、
前記ＤＲＸスリープ期間が、前記ＨＡＲＱプロセスに関連する確認応答メッセージ（ＡＭ）と新しいＨＡＲＱプロセスとの間のサブフレーム期間を備える、または、
前記ＤＲＸスリープ期間が、前記ＨＡＲＱプロセスに関連するアップリンク送信と新しいＨＡＲＱプロセスとの間のサブフレーム期間を備える、または、
前記ＤＲＸスリープ期間が、前記ＨＡＲＱプロセスに関連するダウンリンク（ＤＬ）ＡＭサブフレーム期間を含む、請求項７に記載の装置。
【請求項９】
前記ＤＲＸスリープ期間が、前記ＨＡＲＱプロセスのための物理ＨＡＲＱインジケータチャネル（ＰＨＩＣＨ）サブフレーム期間を含む、請求項７に記載の装置。
【請求項１０】
前記最初のＵＬ送信の前記ＵＬ再送信が不要であると決定するための前記手段は、
前記ＭＡＣレイヤデータがＭＡＣレイヤパディングデータを含むと決定するためにさらに構成される、請求項７に記載の装置、または、
前記コンテンツが非アプリケーションデータを含む、請求項７に記載の装置。
【請求項１１】
前記最初のＵＬ送信の前記ＵＬ再送信が不要であると決定するための前記手段が、前記ＨＡＲＱプロセスに関連する確認応答メッセージ（ＡＭ）にさらに基づき、
前記ＡＭが、前記ＨＡＲＱプロセスに関連する適応再送信の指示なしに送信されたと決定するための手段
をさらに備える、請求項７に記載の装置。
【請求項１２】
前記ＤＲＸスリープ期間の後にＤＲＸアクティブ状態に入るための手段
をさらに備える、請求項７に記載の装置。
【請求項１３】
命令を備えるコンピュータプログラムであって、
前記命令は、請求項１乃至６のいずれかにしたがった方法を実行することをコンピュータによって実行可能である、
コンピュータプログラム。
【発明の詳細な説明】
【技術分野】
【０００１】
相互参照
[0001]本特許出願は、各々が本出願の譲受人に譲渡された、２０１５年５月２８日に出願された、「Enhanced Physical HARQ Indicator Channel Decoding」と題する、Ｒａｍｋｕｍａｒらによる米国特許出願第１４／７２３，８５０号、および２０１４年５月３０日に出願された、「Enhanced Physical HARQ Indicator Channel Decoding」と題する、Ｒａｍｋｕｍａｒらによる米国仮特許出願第６２／００５，４５９号の優先権を主張する。
【０００２】
[0002]以下は、一般に、ワイヤレス通信に関し、より詳細には、拡張物理ＨＡＲＱインジケータチャネル（ＰＨＩＣＨ）復号を使用して間欠受信（ＤＲＸ）期間を改善することに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]概して、ワイヤレス多元接続通信システムは、各々が複数のモバイルデバイスまたは他のユーザ機器（ＵＥ）デバイスのための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージ範囲を有する。ＵＥが送信または受信するためのデータを有しないとき、ＵＥは、電力を温存するために、ＤＲＸスリープ状態として知られる、非アクティブ状態に入り得る。しかしながら、場合によっては、ＤＲＸスリープ期間は、効率的でないことがある。たとえば、場合によっては、ＵＥは、不要なデータを送信または受信するためにスリープ状態からアウェイクし得る。したがって、ＤＲＸ期間を改善するための方法が望まれる。
【発明の概要】
【０００５】
[0005]説明する特徴は、一般に、拡張物理ＨＡＲＱインジケータチャネル（ＰＨＩＣＨ）復号を使用して間欠受信（ＤＲＸ）期間を改善するための１つまたは複数のシステム、方法、および／または装置に関する。ユーザ機器（ＵＥ）は、元のアップリンク（ＵＬ）送信のコンテンツに基づいてＵＬ再送信（ＲｅＴｘ）が不要であると決定し得る。たとえば、送信は、アプリケーションレイヤデータ（たとえば、関連するアプリケーションレイヤデータ）ではなくメディアアクセス制御（ＭＡＣ）レイヤパディングを含み得る。ＵＥは、次いで、ＲｅＴｘが行われるであろうサブフレームを含むＤＲＸスリープ期間を識別し得る。場合によっては、ＤＲＸスリープ期間は、ＵＥが通常ならば基地局から確認応答メッセージ（ＡＭ）（たとえば、送信の受信の不成功を示す否定ＡＣＫメッセージ（ＮＡＣＫＭ）または送信の受信の成功を示す肯定ＡＣＫメッセージ（ＡＣＫＭ））を受信するであろうサブフレームを含み得る。ＵＥは、次いで、ＤＲＸスリープ期間の間ＤＲＸスリープ状態に入り得る。別の例では、ＤＲＸスリープ期間は、受信されたＡＭのコンテンツに基づく。ＵＥがＡＣＫＭを受信した場合、ＵＬ  ＲｅＴｘは不要であり得る。
【０００６】
[0006]拡張ＰＨＩＣＨ復号の方法について説明し、本方法は、ＨＡＲＱプロセスに関連する１つまたは複数のメッセージのコンテンツに基づいて、ＨＡＲＱプロセスのためのＵＬ再送信が不要であると決定することと、決定に少なくとも部分的に基づいてＤＲＸスリープ期間を識別することと、ＤＲＸスリープ期間の間ＤＲＸスリープ状態に入ることとを備える。
【０００７】
[0007]拡張ＰＨＩＣＨ復号のための装置について説明し、本装置は、ＨＡＲＱプロセスに関連する１つまたは複数のメッセージのコンテンツに基づいて、ＨＡＲＱプロセスのためのＵＬ再送信が不要であると決定するための手段と、決定に少なくとも部分的に基づいてＤＲＸスリープ期間を識別するための手段と、ＤＲＸスリープ期間の間ＤＲＸスリープ状態に入るための手段とを備える。
【０００８】
[0008]拡張ＰＨＩＣＨ復号のための装置について説明し、本装置は、プロセッサと、プロセッサと電子通信しているメモリと、メモリに記憶された命令とを備え、命令は、ＨＡＲＱプロセスに関連する１つまたは複数のメッセージのコンテンツに基づいて、ＨＡＲＱプロセスのためのＵＬ再送信が不要であると決定することと、決定に少なくとも部分的に基づいてＤＲＸスリープ期間を識別することと、ＤＲＸスリープ期間の間ＤＲＸスリープ状態に入ることとを行うためにプロセッサによって実行可能である。
【０００９】
[0009]拡張ＰＨＩＣＨ復号のための非一時的コンピュータ可読媒体についても説明し、本非一時的コンピュータ可読媒体は、ＵＥにおけるワイヤレス通信のためのコードを記憶し、コードは、ＨＡＲＱプロセスに関連する１つまたは複数のメッセージのコンテンツに基づいて、ＨＡＲＱプロセスのためのＵＬ再送信が不要であると決定することと、決定に少なくとも部分的に基づいてＤＲＸスリープ期間を識別することと、ＤＲＸスリープ期間の間ＤＲＸスリープ状態に入ることとを行うためにプロセッサによって実行可能な命令を備える。いくつかの例では、ＤＲＸスリープ期間は、ＨＡＲＱプロセスのためのＵＬ再送信サブフレームを含む。
【００１０】
[0010]上記で説明した方法、装置、または非一時的コンピュータ可読媒体のいくつかの例では、１つまたは複数のメッセージはＵＬ送信を含み、コンテンツはＭＡＣレイヤデータを備える。いくつかの例では、ＤＲＸスリープ期間は、ＨＡＲＱプロセスのためのＰＨＩＣＨサブフレームを含む。
【００１１】
[0011]上記で説明した方法、装置、または非一時的コンピュータ可読媒体のいくつかの例では、ＨＡＲＱプロセスのためのＵＬ再送信が不要であると決定することは、ＭＡＣレイヤデータがＭＡＣレイヤパディングデータを含むと決定することを備える。いくつかの例では、コンテンツは、非アプリケーションデータを含む。場合によっては、コンテンツは、非アプリケーションデータを含む。
【００１２】
[0012]上記で説明した方法、装置、または非一時的コンピュータ可読媒体のいくつかの例では、ＤＲＸスリープ期間は、ＨＡＲＱプロセスに関連する確認応答メッセージ（ＡＭ）と新しいＨＡＲＱプロセスとの間のサブフレームを備える。場合によっては、ＤＲＸスリープ期間は、ＨＡＲＱプロセスに関連するアップリンク送信と新しいＨＡＲＱプロセスとの間のサブフレームを備える。
【００１３】
[0013]上記で説明した方法、装置、または非一時的コンピュータ可読媒体のいくつかの例では、１つまたは複数のメッセージは、ＨＡＲＱプロセスに関連するＡＭメッセージを含む。いくつかの例では、ＡＣＫＭがＨＡＲＱプロセスに関連する適応再送信の指示なしに送信されたと決定すること。
【００１４】
[0014]上記で説明した方法、装置、または非一時的コンピュータ可読媒体のいくつかの例は、ＨＡＲＱプロセスが、４つのサブフレームの遅延をもつ周波数分割複信（ＦＤＤ）同期ＨＡＲＱプロセスであることをさらに備え得る。いくつかの例では、ＤＲＸスリープ期間は、７つのサブフレームである。
【００１５】
[0015]上記で説明した方法、装置、または非一時的コンピュータ可読媒体のいくつかの例では、ＤＲＸスリープ期間は、１１個のサブフレームである。上記で説明した方法、装置、またはコンピュータプログラム製品のいくつかの例は、ＤＲＸスリープ期間の後にＤＲＸアクティブ状態に入ることを含む。
【００１６】
[0016]上記で説明した方法、装置、または非一時的コンピュータ可読媒体のいくつかの例では、ＤＲＸスリープ期間は、ＨＡＲＱプロセスに関連するダウンリンク（ＤＬ）ＡＭサブフレームを含む。
【００１７】
[0017]説明する方法および装置の適用性のさらなる範囲は、以下の発明を実施するための形態、特許請求の範囲、および図面から明らかになろう。当業者には発明を実施するための形態の範囲内の様々な変更および改変が明らかになるので、発明を実施するための形態および特定の例は、例示として与えられるものにすぎない。
【００１８】
[0018]本開示の性質および利点のさらなる理解は、以下の図面を参照して実現され得る。添付の図では、同様の構成要素または特徴は、同一の参照符号を有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００１９】
【図１】[0019]様々な実施形態による、ワイヤレス通信システムの一例を示す図。
【図２】[0020]様々な実施形態による、拡張ＰＨＩＣＨ復号のためのワイヤレス通信プロセスの一例を示す図。
【図３】[0021]様々な実施形態による、拡張ＰＨＩＣＨ復号に基づくＤＲＸスリープスケジュールの一例を示す図。
【図４】[0022]様々な実施形態による、拡張ＰＨＩＣＨ復号のためのデバイスのブロック図。
【図５】[0023]様々な実施形態による、拡張ＰＨＩＣＨ復号のためのデバイスのブロック図。
【図６】[0024]様々な実施形態による、拡張ＰＨＩＣＨ復号のためのデバイスのブロック図。
【図７】[0025]様々な実施形態による、拡張ＰＨＩＣＨ復号のためのシステムのブロック図。
【図８】[0026]様々な実施形態による、拡張ＰＨＩＣＨ復号のための方法を示すフローチャート。
【図９】[0027]様々な実施形態による、拡張ＰＨＩＣＨ復号のための方法を示すフローチャート。
【図１０】[0028]様々な実施形態による、拡張ＰＨＩＣＨ復号のための方法を示すフローチャート。
【発明を実施するための形態】
【００２０】
[0029]説明する特徴は、一般に、拡張物理ＨＡＲＱインジケータチャネル（ＰＨＩＣＨ）復号を使用して間欠受信（ＤＲＸ）期間を改善するための１つまたは複数の改善されたシステム、方法、および／または装置に関する。ユーザ機器（ＵＥ）は、元のアップリンク（ＵＬ）送信のコンテンツに基づいてＵＬ再送信（ＲｅＴｘ）が不要であると決定し得る。たとえば、送信は、アプリケーションレイヤデータ（たとえば、関連するアプリケーションレイヤデータ）ではなくメディアアクセス制御（ＭＡＣ）レイヤパディングを含み得る。ＵＥは、ＲｅＴｘが行われるであろうサブフレームを含むＤＲＸスリープ期間を識別し得る。場合によっては、ＤＲＸスリープ期間は、ＵＥが通常ならば基地局から確認応答メッセージ（ＡＭ）を受信するであろうサブフレームを含み得る。ＵＥは、ＤＲＸスリープ状態に入り得る。別の例では、ＤＲＸスリープ期間は、受信されたＡＭのコンテンツに基づく。ＵＥがＡＣＫＭを受信した場合、ＵＬ  ＲｅＴｘは不要であり得る。
【００２１】
[0030]説明するシステム、方法、および／または装置は、復号ＰＨＩＣＨ復号および／またはスケジューリングＵＬ  ＲｅＴｘを使用して、ＤＲＸスリープ期間（たとえば、またはオフサイクル）中に、起動（たとえば、不要な起動）を防ぎ得る。したがって、ＤＲＸスリープ期間の長さは、増加させられ得る。ＤＲＸスリープ期間を増加させることによって、ＵＥは、より多くの電力を温存し得る。
【００２２】
[0031]以下の説明は、例を与えるものであり、特許請求の範囲に記載される範囲、適用性、または構成を限定するものではない。本開示の範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２３】
[0032]図１に、様々な実施形態による、ワイヤレス通信システム１００の一例を示す。ワイヤレス通信システム１００は、基地局１０５と、ユーザ機器ＵＥ１１５としても知られる通信デバイスと、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。基地局１０５は、バックホールリンク１３２を介してコアネットワーク１３０と制御情報および／またはユーザデータを通信し得る。実施形態では、基地局１０５は、ワイヤードまたはワイヤレス通信リンクであり得るバックホールリンク１３４を介して、直接的または間接的のいずれかで、互いに通信し得る。ワイヤレス通信システム１００は、複数のキャリア（異なる周波数の波形信号）上での動作をサポートし得る。ワイヤレス通信リンク１２５は、様々な無線技術に従って変調され得る。各被変調信号は、制御情報（たとえば、基準信号、制御チャネルなど）、オーバーヘッド情報、データなどを搬送し得る。
【００２４】
[0033]基地局１０５は、１つまたは複数の基地局アンテナを介してＵＥ１１５とワイヤレス通信し得る。基地局１０５のサイトの各々は、それぞれの地理的（たとえば、カバレージ）エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、またはいくつかの他の好適な用語で呼ばれることがある。基地局のためのカバレージエリア１１０は、カバレージエリアの一部分のみを構成するセクタ（図示せず）に分割され得る。ワイヤレス通信システム１００は、異なるタイプの基地局１０５（たとえば、マクロ基地局、マイクロ基地局、および／またはピコ基地局など）を含み得る。異なる技術のための重複するカバレージエリアがあり得る。
【００２５】
[0034]ワイヤレス通信システム１００は、異なるタイプの基地局が様々な地理的領域にカバレージを与える、異種ロングタームエボリューション（ＬＴＥ）／ＬＴＥ−Ａネットワークであり得る。たとえば、各基地局１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーし得、ネットワークプロバイダのサービスに加入しているＵＥによる無制限アクセスを可能にし得る。また、フェムトセルは、概して、比較的小さい地理的エリア（たとえば、自宅など）をカバーすることになり、無制限アクセスに加えて、フェムトセルとの関連を有するＵＥによる制限付きアクセスをも与え得る。
【００２６】
[0035]コアネットワーク１３０は、バックホール１３２（たとえば、Ｓ１など）を介して基地局１０５と通信し得る。基地局１０５はまた、バックホールリンク１３４（たとえば、Ｘ２など）を介して、および／またはバックホールリンク１３２を介して（たとえば、コアネットワーク１３０を通して）たとえば、直接的または間接的に、互いに通信し得る。ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００２７】
[0036]ＵＥ１１５は、ワイヤレス通信システム１００全体にわたって分散され得、各ＵＥは固定式または移動可能であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２８】
[0037]ワイヤレス通信システム１００に示されている通信リンク１２５は、ＵＥ１１５から基地局１０５へのアップリンク（ＵＬ）送信、および／またはダウンリンク（ＤＬ）キャリアを介した基地局１０５からＵＥ１１５へのＤＬ送信を含み得る。ダウンリンク送信は順方向リンク送信と呼ばれることもあり、アップリンク送信は逆方向リンク送信と呼ばれることもある。場合によっては、通信リンク１２５を介してＵＬおよびＤＬ上で送信されているデータは、連続でないことがある。たとえば、ＵＥ１１５が送信または受信するためのデータを有しない期間があり得る。したがって、場合によっては、ＵＥが電力を温存するためにＤＲＸスリープ期間に入ることが適切であり得る。
【００２９】
[0038]図２に、様々な実施形態による、拡張ＰＨＩＣＨ復号のためのワイヤレス通信プロセス２００の一例を示す。ＵＥ１１５−ａが、ＵＬ送信のためにＵＥ１１５−ａにリソースを割り当てている基地局１０５−ａから、ＵＬ許可２０５を受信し得る。ＵＥ１１５−ａは、図１において説明したＵＥ１１５の一例であり得る。さらに、基地局１０５−ａは、図１において説明した基地局１０５の一例であり得る。ＵＬ許可２０５は、ＨＡＲＱプロセス数に関連し得る。ＵＥは、基地局１０５−ａにＵＬ送信（Ｔｘ）２１０を送り得る。場合によっては、ＵＥ１１５−ａは、送信するためのアプリケーションレイヤデータを有せず、ＵＬ  Ｔｘ２１０は、ＭＡＣレイヤパディング（たとえば、およびバッファステータス報告（ＢＳＲ）など、ＭＡＣ制御要素）を含み得る。ＵＥは、ＵＬ  Ｔｘ２１０が有用なデータを含まないと決定し得、この決定に基づいてＤＲＸスリープ期間に入り得る、２１５。すなわち、ＵＥは、ＰＨＩＣＨサブフレーム中に基地局１０５−ａからのＡＭ（たとえば、送信の受信の不成功を示す否定ＡＣＫメッセージ（ＮＡＣＫＭ）２２０、または送信の受信の成功を示す肯定ＡＣＫメッセージ（ＡＣＫＭ））を待たないことがある。基地局１０５−ａがＡＣＫＭまたはＮＡＣＫＭ２２０を送信した場合、ＵＥ１１５−ａは、ＵＥ１１５−ａがＤＲＸスリープ状態にあり得るので、それを受信しないことがある。したがって、基地局１０５−ａが、ＮＡＣＫＭ、またはＵＥ１１５−ａがＵＬ  ＲｅＴｘ２２５を送るべきであるという別の指示を送信した場合でも、ＵＥ１１５−ａは、ＵＬ  ＲｅＴｘ２２５を送らないことがある。
【００３０】
[0039]別の例（図示せず）では、ＵＥ１１５−ａは、アプリケーションレイヤデータまたは他の有用なデータを含むＵＬ  Ｔｘ２１０を送り、基地局１０５−ａからＡＣＫＭを受信し得る。この例では、ＵＥは、ＡＣＫＭを受信した後にＤＲＸスリープ状態に入り得、ＵＬ  ＲｅＴｘ２２５を送るために予約されたサブフレーム中にスリープ状態にあり得る。すなわち、基地局がＡＣＫＭを送った場合、ＵＥ１１５−ａは、ＵＬ  ＲｅＴｘ２２５を送ることが不要であるので、ＵＥ１１５−ａがＤＲＸスリープ状態のままであり得ると推論し得る。
【００３１】
[0040]ＡＣＫＭ期間とＵＬ  ＲｅＴｘ期間と（たとえば、またはＵＬ  ＲｅＴｘ期間だけ）を含む期間の間ＤＲＸスリープ状態のままであった後に、ＵＥ１１５−ａは、ＤＲＸスリープ状態を出得る（たとえば、ＤＲＸオンサイクル２３０に入り得る）。これは、ＵＥ１１５−ａが別のＵＬ許可を受信すること、またはさもなければ、基地局１０５−ａとの別のＨＡＲＱプロセスに参加することを可能にし得る。
【００３２】
[0041]図３に、様々な実施形態による、拡張ＰＨＩＣＨ復号のためのＤＲＸスケジュール３００の一例を示す。ＤＲＸスケジュール３００は同期ＵＬ  ＨＡＲＱタイミングを用いたＴＤＤシステムの一例を示しているが、他の例は、非同期ＵＬ  ＨＡＲＱプロセスを用いた周波数分割複信（ＦＤＤ）または別のシステムを含み得る。示されている１７個の１ミリ秒サブフレーム３０５は、１０ｍｓフレーム内のそれらのロケーションに基づいて０から９までの番号を付けられる。
【００３３】
[0042]ＤＲＸスケジュール３００は、ＵＬ許可サブフレーム３０５−ａ（＃０）から始まるＨＡＲＱプロセスを示している。ＤＲＸスケジュール３００は、ＨＡＲＱプロセス要素間の４つのサブフレームの遅延に基づく。しかしながら、他の例では、遅延は、４以外の数であり得る。ＵＬ  Ｔｘサブフレーム３０５−ｂ（＃４）は、ＵＬ許可サブフレーム３０５−ａの４サブフレーム後であり得る。ＰＨＩＣＨ（たとえば、ＡＭ）サブフレーム３０５−ｃ（＃８）は、ＵＬ  Ｔｘサブフレーム３０５−ｂの４サブフレーム後であり得る。ＰＨＩＣＨは、ハイブリッド自動再送要求（ＡＲＱ）インジケータ（ＨＩ）を搬送する物理チャネルであり得る。ＨＩは、基地局１０５によって受信されたＵＬ  Ｔｘのための、ＵＥ１１５へのＡＣＫＭ／ＮＡＣＫＭフィードバックを含む。
【００３４】
[0043]ＵＬ  ＲｅＴｘサブフレーム３０５−ｄ（次のサブフレームの＃２）は、ＰＨＩＣＨサブフレーム３０５−ｃの４サブフレーム後であり得る。ＵＬ  ＲｅＴｘは、適応または非適応のいずれかであり得る。非適応再送信は、ＮＡＣＫＭによってトリガされ得る。適応再送信は、物理ダウンリンク制御チャネル（ＰＤＣＣＨ）ダウンリンク制御情報（たとえば、ＤＣＩ０）によってトリガされ得る。サブフレーム３０５−ｅは、新しいＨＡＲＱプロセスのための機会であり得る。
【００３５】
[0044]新しいＨＡＲＱプロセスの始めに（たとえば、ＵＬ許可サブフレーム３０５−ａにおいて）、ＵＥは、ＤＲＸサイクルのためのアクティブ期間の持続時間を決定するために、オン持続時間タイマー３１０を開始し得る。ＵＥ１１５は、次いで、ＵＥ１１５がＰＤＣＣＨ（たとえば、ＵＬ許可）の受信の後にどのくらいの時間の間アクティブのままであるべきかを決定し得る、ＤＲＸ非アクティビティタイマー３１５を開始し得る。このタイマーがオンであるとき、ＵＥ１１５は、オン持続時間タイマー３１０の満了後でもアクティブ状態のままであり得る。
【００３６】
[0045]ＤＲＸスリープ期間３２０−ａは、ＰＨＩＣＨサブフレーム３０５−ｃとＵＬ  ＲｅＴｘ３０５−ｄとの間の３つのサブフレームのスリープサイクルの一例である。場合によっては、ＤＲＸスリープ期間３２０−ａは、ＵＥがＰＨＩＣＨサブフレーム３０５−ｃにおいて適応または非適応ＲｅＴｘ指示（たとえば、ＤＣＩ０またはＮＡＣＫＭ）を受信した場合、使用され得る。ＲｅＴｘ指示が受信されない場合、ＵＥ１１５がＵＬ  ＲｅＴｘのためのスリープサイクルを終了することは不要であり得る。したがって、ＤＲＸスリープ期間３２０−ｂは、たとえば、ＵＥ１１５がＵＬ  ＲｅＴｘサブフレーム３０５−ｄ中にＤＲＸスリープ状態のままである７つのサブフレームのＤＲＸスリープ期間である。
【００３７】
[0046]追加または代替として、場合によっては、ＨＡＲＱプロセスが、アプリケーションデータを含まないＵＬ  Ｔｘに関係するので、ＵＥ１１５がＰＨＩＣＨサブフレーム３０５−ｃを復号することは不要である。たとえば、ＵＬ  Ｔｘは、ＭＡＣレイヤパディングおよび制御シグナリング（たとえば、ＭＡＣレイヤパディングおよび制御シグナリングのみ）を含むＵＬ  Ｔｘサブフレーム３０５−ｂ中に送られ得る。すなわち、ＵＬ  Ｔｘは、ＵＥ１１５が送るためのデータを有しないことを示す基地局１０５へのメッセージであり得る。したがって、ＤＲＸスリープ期間３２０−ｃは、１１個のサブフレームの、たとえば、ＰＨＩＣＨサブフレーム３０５−ｃとＵＬ  ＲｅＴｘサブフレーム３０５−ｄの両方中にオフサイクルのままであることに基づくＤＲＸスリープ期間を示している。場合によっては、ＤＲＸスリープ期間は、３つ、７つ、または１１個のサブフレーム以外の間であり得る。
【００３８】
[0047]図４に、様々な実施形態による、拡張ＰＨＩＣＨ復号のためのＵＥ１１５−ｂのブロック図４００を示す。ＵＥ１１５−ｂは、図１〜図３を参照しながら説明したＵＥ１１５の１つまたは複数の態様の一例であり得る。ＵＥ１１５−ｂは、受信機４０５、ＤＲＸモジュール４１０、および／または送信機４１５を含み得る。ＵＥ１１５−ｂはプロセッサをも含み得る。これらの構成要素の各々は互いに通信していることがある。
【００３９】
[0048]ＵＥ１１５−ａの構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００４０】
[0049]受信機４０５は、様々な情報チャネル（たとえば、制御チャネル、データチャネルなど）に関連付けられた制御情報、ユーザデータ、および／またはパケットなどの情報を受信し得る。たとえば、受信機４０５は、基地局１０５からＵＬ許可とＰＨＩＣＨ情報とを受信し得る。情報は、ＤＲＸモジュール４１０に、およびＵＥ１１５−ｂの他の構成要素に受け渡され得る。
【００４１】
[0050]ＤＲＸモジュール４１０は、ＨＡＲＱプロセスに関連する１つまたは複数のメッセージのコンテンツに基づいて、ＨＡＲＱプロセスのためのＵＬ再送信が不要であると決定するように構成され得る。たとえば、ＵＬ  Ｔｘは、ＭＡＣレイヤパディングなど、非アプリケーションデータを含み得る。別の例として、ＰＨＩＣＨメッセージは、ＵＬ  ＲｅＴｘが不要であることを示し得る。ＤＲＸモジュール４１０は、決定に少なくとも部分的に基づいて、ＤＲＸスリープ期間を識別するように構成され得る。ＤＲＸモジュール４１０は、ＵＥ１１５−ｂに、ＤＲＸスリープ期間の間ＤＲＸスリープ状態に入らせるように構成され得る。態様では、ＵＬ  Ｔｘは、ＵＬトラフィックデータを含み得る。
【００４２】
[0051]送信機４１５は、ＵＥ１１５−ｂの他の構成要素から受信された１つまたは複数の信号を送信し得る。たとえば、送信機４１５は、基地局１０５にＵＬ  ＴｘまたはＵＬ  ＲｅＴｘを送信し得る。いくつかの実施形態では、送信機４１５は、トランシーバモジュールにおいて受信機４０５とコロケートされ得る。送信機４１５は単一のアンテナを含み得るか、またはそれは複数のアンテナを含み得る。
【００４３】
[0052]図５に、様々な実施形態による、拡張ＰＨＩＣＨ復号のためのＵＥ１１５−ｃのブロック図５００を示す。ＵＥ１１５−ｃは、図１〜図４を参照しながら説明したＵＥ１１５の１つまたは複数の態様の一例であり得る。ＵＥ１１５−ｃは、受信機４０５−ａ、ＤＲＸモジュール４１０−ａ、および／または送信機４１５−ａを含み得る。ＵＥ１１５−ｃはプロセッサをも含み得る。これらの構成要素の各々は互いに通信していることがある。ＤＲＸモジュール４１０−ａは、メッセージコンテンツモジュール５０５、スリープ期間決定モジュール５１０、および／またはＤＲＸスリープ状態モジュール５１５を含み得る。
【００４４】
[0053]ＵＥ１１５−ｃの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００４５】
[0054]受信機４０５−ａは、ＤＲＸモジュール４１０−ａに、およびＵＥ１１５−ｃの他の構成要素に受け渡され得る情報を受信し得る。ＤＲＸモジュール４１０−ａは、図４を参照しながら上記で説明した動作を実行するように構成され得る。送信機４１５−ａは、ＵＥ１１５−ｃの他の構成要素から受信された１つまたは複数の信号を送信し得る。
【００４６】
[0055]メッセージコンテンツモジュール５０５は、ＨＡＲＱプロセスに関連する１つまたは複数のメッセージのコンテンツに基づいて、ＨＡＲＱプロセスのためのＵＬ再送信が不要であると決定するように構成され得る。たとえば、決定は、非アプリケーションデータを含むＵＬ  Ｔｘに基づき得る。別の例として、決定は、ＵＬ  ＲｅＴｘが不要であることを示すＰＨＩＣＨメッセージに基づき得る。
【００４７】
[0056]スリープ期間決定モジュール５１０は、決定に少なくとも部分的に基づいて、ＤＲＸスリープ期間を識別するように構成され得る。いくつかの例では、ＤＲＸスリープ期間は、ＨＡＲＱプロセスのためのＵＬ再送信サブフレームを含む。他の例では、ＤＲＸスリープ期間は、ＨＡＲＱプロセスに関連するＤＬ  ＡＭサブフレーム（たとえば、ＰＨＩＣＨサブフレームメッセージ）を含む。
【００４８】
[0057]ＤＲＸスリープ状態モジュール５１５は、ＤＲＸスリープ期間の間ＤＲＸスリープ状態に入るように構成され得る。たとえば、たとえば４ｍｓの同期遅延を用いたＴＤＤシステムでは、ＵＥ１１５−ｃは、たとえば、図３を参照しながら上記で説明したように、７つまたは１１個のサブフレームの期間の間ＤＲＸスリープ状態に入り得る。
【００４９】
[0058]図６に、様々な実施形態による、拡張ＰＨＩＣＨ復号のためのＤＲＸモジュール４１０−ｂのブロック図６００を示す。ＤＲＸモジュール４１０−ｂは、図４〜図５を参照しながら説明したＤＲＸモジュール４１０の１つまたは複数の態様の一例であり得る。ＤＲＸモジュール４１０−ｂは、メッセージコンテンツモジュール５０５−ａと、スリープ期間決定モジュール５１０−ａと、ＤＲＸスリープ状態モジュール５１５−ａとを含み得る。これらのモジュールの各々は、図５を参照しながら上記で説明した機能を実行し得る。メッセージコンテンツモジュール５０５−ａは、同じく、ＵＬ送信コンテンツモジュール６０５と、ＡＭコンテンツモジュール６１０と、ＤＲＸアクティブ状態モジュール６１５とを含み得る。ＤＲＸモジュール４１０−ｂは、ＤＲＸアクティブ状態モジュール６１５をも含み得る。
【００５０】
[0059]ＤＲＸモジュール４１０−ｂの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００５１】
[0060]ＵＬ送信コンテンツモジュール６０５は、ＵＬ送信のコンテンツを決定するように構成され得る。たとえば、コンテンツは、ＭＡＣパディングまたはＢＳＲなど、ＭＡＣレイヤデータを含み得る。その結果、ＤＲＸスリープ期間は、１つまたは複数のＰＨＩＣＨサブフレームを含み得る。いくつかの例では、ＨＡＲＱプロセスのためのＵＬ再送信が不要であり得ると決定することは、ＭＡＣレイヤデータがパディングデータ（たとえば、パディングデータのみ）を含む、または、それが非アプリケーションデータを含むと決定することを備える。
【００５２】
[0061]ＡＭコンテンツモジュール６１０は、ＰＨＩＣＨメッセージ（たとえば、ＡＭ）のコンテンツを決定するように構成され得る。ＡＭコンテンツモジュール６１０は、ＡＭが、ＨＡＲＱプロセスに関連する適応または非適応再送信の指示なしに送信された（たとえば、適応再送信指示なしのＡＣＫＭ）と決定することを含む、ＵＬ再送信が不要であると決定することを行うように構成され得る。
【００５３】
[0062]ＤＲＸアクティブ状態モジュール６１５は、ＵＥ１１５に、ＤＲＸスリープ期間の後にＤＲＸアクティブ状態に入らせるように構成され得る。たとえば、ＵＥは、ＵＬ送信のためのＵＬ許可を受信することなどの新しいＨＡＲＱプロセスに参加するために、ＤＲＸアクティブ（たとえば、またはオン）状態に入り得る。
【００５４】
[0063]図７に、様々な実施形態による、拡張ＰＨＩＣＨ復号のためのシステム７００の図を示す。システム７００は、図１〜図６を参照すると、ＵＥ１１５の一例であり得る、ＵＥ１１５−ｄを含み得る。ＵＥ１１５−ｄは、図４〜図６を参照すると、ＤＲＸモジュールの一例であり得る、ＤＲＸモジュール７１０を含み得る。ＵＥ１１５−ｄは、ＦＤＤ同期スケジューリングモジュール７２５をも含み得る。ＵＥ１１５−ｄは、通信を送信するための構成要素と通信を受信するための構成要素とを含む、双方向音声およびデータ通信のための構成要素をも含み得る。たとえば、ＵＥ１１５−ｄは、基地局１０５−ｂと、または別のＵＥ１１５−ｅと通信し得る。
【００５５】
[0064]ＦＤＤ同期スケジューリングモジュール７２５は、ＨＡＲＱプロセスが、たとえば、４つのサブフレーム（またはｍｓ）の遅延を用いたＦＤＤ同期ＨＡＲＱプロセスであり得るように構成され得る。場合によっては、ＤＲＸスリープ期間は、図３を参照しながら説明したように、ＨＡＲＱプロセス遅延に少なくとも部分的に基づき得る。
【００５６】
[0065]ＵＥ１１５−ｄは、プロセッサモジュール７０５と、（たとえば、ソフトウェア（ＳＷ）７２０を含む）メモリ７１５と、トランシーバモジュール７３５と、１つまたは複数のアンテナ７４０とをも含み得、それらは、それぞれ（たとえば、１つまたは複数のバス７４５を介して）互いに直接的または間接的に通信し得る。トランシーバモジュール７３５は、上記で説明したように、（１つまたは複数の）アンテナ７４０、および／あるいは１つまたは複数のワイヤードもしくはワイヤレスリンクを介して、１つまたは複数のネットワークと双方向に通信するように構成され得る。たとえば、トランシーバモジュール７３５は、基地局１０５と双方向に通信するように構成され得る。トランシーバモジュール７３５は、パケットを変調し、変調されたパケットを送信のために（１つまたは複数の）アンテナ７４０に与え、（１つまたは複数の）アンテナ７４０から受信されたパケットを復調するように構成されたモデムを含み得る。ＵＥ１１５−ｄは単一のアンテナ７４０を含み得るが、ＵＥ１１５−ｄはまた、複数のワイヤレス送信を同時に送信および／または受信することが可能な複数のアンテナ７４０を有し得る。トランシーバモジュール７３５はまた、１つまたは複数の基地局１０５と同時に通信することが可能であり得る。
【００５７】
[0066]メモリ７１５は、ランダムアクセスメモリ（ＲＡＭ）および読取り専用メモリ（ＲＯＭ）を含み得る。メモリ７１５は、実行されるとプロセッサモジュール７０５に本明細書で説明する様々な機能（たとえば、呼処理、データベース管理、キャリアモードインジケータの処理、チャネル状態情報（ＣＳＩ）を報告することなど）を実施させるように構成された命令を含む、コンピュータ可読、コンピュータ実行可能ソフトウェア／ファームウェアコード７２０を記憶し得る。代替的に、ソフトウェア／ファームウェアコード７２０は、プロセッサモジュール７０５によって直接的に実行可能でないことがあるが、（たとえば、コンパイルされ実行されると）コンピュータに本明細書で説明する機能を実行させるように構成され得る。プロセッサモジュール７０５は、インテリジェントハードウェアデバイス（たとえば、中央処理ユニット（ＣＰＵ）、マイクロコントローラ、ＡＳＩＣなど）を含み得る。プロセッサモジュール７０５はＲＡＭおよびＲＯＭを含み得る。メモリ７１５は、実行されるとプロセッサモジュール７０５に本明細書で説明する様々な機能（たとえば、呼処理、データベース管理、キャリアモードインジケータの処理、ＣＳＩを報告することなど）を実施させるように構成された命令を含む、コンピュータ可読、コンピュータ実行可能ソフトウェア／ファームウェアコード７２０を記憶し得る。代替的に、ソフトウェア／ファームウェアコード７２０は、プロセッサモジュール７０５によって直接的に実行可能でないことがあるが、（たとえば、コンパイルされ実行されると）コンピュータに本明細書で説明する機能を実行させるように構成され得る。プロセッサモジュール７０５は、インテリジェントハードウェアデバイス（たとえば、ＣＰＵ、マイクロコントローラ、ＡＳＩＣなど）を含み得る。
【００５８】
[0067]図８に、様々な実施形態による、拡張ＰＨＩＣＨ復号のための方法を示すフローチャート８００を示す。フローチャート８００の機能は、図１〜図７を参照しながら説明したように、ＵＥ１１５またはそれの構成要素によって実装され得る。いくつかの例では、フローチャート８００のブロックは、図４〜図７を参照すると、ＤＲＸモジュールによって実行され得る。
【００５９】
[0068]ブロック８０５において、ＵＥ１１５は、ＨＡＲＱプロセスに関連する１つまたは複数のメッセージのコンテンツに基づいて、ＨＡＲＱプロセスのためのＵＬ再送信が不要であると決定し得る。いくつかの例では、ブロック８０５の機能は、図５を参照しながら上記で説明したように、メッセージコンテンツモジュール５０５によって実行され得る。
【００６０】
[0069]ブロック８１０において、ＵＥ１１５は、決定に少なくとも部分的に基づいてＤＲＸスリープ期間を決定または識別し得る。いくつかの例では、ブロック８１０の機能は、図５を参照しながら上記で説明したように、スリープ期間決定モジュール５１０によって実行され得る。
【００６１】
[0070]ブロック８１５において、ＵＥ１１５は、ＤＲＸスリープ期間の間ＤＲＸスリープ状態に入り得る。いくつかの例では、ブロック８１５の機能は、図５を参照しながら上記で説明したように、ＤＲＸスリープ状態モジュール５１５によって実行され得る。
【００６２】
[0071]フローチャート８００の方法は一実装形態にすぎないこと、ならびに本方法の動作、およびステップは、他の実装形態が可能であるように、並べ替えられるかまたは場合によっては変更され得ることに留意されたい。
【００６３】
[0072]図９に、様々な実施形態による、拡張ＰＨＩＣＨ復号のための方法を示すフローチャート９００を示す。フローチャート９００の機能は、図１〜図７を参照しながら説明したように、ＵＥ１１５またはそれの構成要素によって実装され得る。いくつかの例では、フローチャート９００のブロックは、図４〜図７を参照すると、ＤＲＸモジュールによって実行され得る。フローチャート９００で説明する方法は、図８のフローチャート８００の態様を組み込み得る。
【００６４】
[0073]ブロック９０５において、ＵＥ１１５は、ＡＭ（たとえば、適応再送信指示なしのＡＣＫＭ）を受信したことに基づいて、ＨＡＲＱプロセスのためのＵＬ  ＲｅＴｘが不要であると決定し得る。いくつかの例では、ブロック９０５の機能は、図５を参照しながら上記で説明したように、メッセージコンテンツモジュール５０５によって、および／または図６を参照すると、ＡＭコンテンツモジュール６１０によって実行され得る。
【００６５】
[0074]ブロック９１０において、ＵＥ１１５は、決定に少なくとも部分的に基づいてＤＲＸスリープ期間を決定または識別し得る。ＤＲＸスリープ期間は、図３を参照しながら説明したように、ＵＬ  ＲｅＴｘサブフレームを含み得る。いくつかの例では、ブロック９１０の機能は、図５を参照しながら上記で説明したように、スリープ期間決定モジュール５１０によって実行され得る。
【００６６】
[0075]ブロック９１５において、ＵＥ１１５は、ＤＲＸスリープ期間の間ＤＲＸスリープ状態に入り得る。いくつかの例では、ブロック９１５の機能は、図５を参照しながら上記で説明したように、ＤＲＸスリープ状態モジュール５１５によって実行され得る。
【００６７】
[0076]フローチャート９００の方法は一実装形態にすぎないこと、ならびに本方法の動作、およびステップは、他の実装形態が可能であるように、並べ替えられるかまたは場合によっては変更され得ることに留意されたい。
【００６８】
[0077]図１０に、様々な実施形態による、拡張ＰＨＩＣＨ復号のための方法を示すフローチャート１０００を示す。フローチャート１０００の機能は、図１〜図７を参照しながら説明したように、ＵＥ１１５またはそれの構成要素によって実装され得る。いくつかの例では、フローチャート１０００のブロックは、図４〜図７を参照すると、ＤＲＸモジュールによって実行され得る。フローチャート１０００で説明する方法は、図８のフローチャート８００の態様を組み込み得る。
【００６９】
[0078]ブロック１００５において、ＵＥ１１５は、たとえば、ＭＡＣレイヤパディングデータを含む、ＵＬ  Ｔｘのコンテンツに基づいて、ＡＭを受信すること（たとえば、ＰＨＩＣＨサブフレームを復号すること）、およびＨＡＲＱプロセスのためのＵＬ  ＲｅＴｘを送信することが不要であると決定し得る。いくつかの例では、ブロック１００５の機能は、図５を参照しながら上記で説明したように、メッセージコンテンツモジュール５０５によって、または図６を参照すると、ＵＬ送信コンテンツモジュール６０５によって実行され得る。
【００７０】
[0079]ブロック１０１０において、ＵＥ１１５は、決定に少なくとも部分的に基づいてＤＲＸスリープ期間を識別し得る。ＤＲＸスリープ期間は、ＰＨＩＣＨ（たとえば、ＡＭ）サブフレームと、ＵＬ  ＲｅＴｘサブフレームとを含み得る。いくつかの例では、ブロック１０１０の機能は、図５を参照しながら上記で説明したように、スリープ期間決定モジュール５１０によって実行され得る。
【００７１】
[0080]ブロック１０１５において、ＵＥ１１５は、ＤＲＸスリープ期間の間ＤＲＸスリープ状態に入り得る。いくつかの例では、ブロック１０１５の機能は、図５を参照しながら上記で説明したように、ＤＲＸスリープ状態モジュール５１５によって実行され得る。
【００７２】
[0081]フローチャート１０００の方法は一実装形態にすぎないこと、ならびに本方法の動作、およびステップは、他の実装形態が可能であるように、並べ替えられるかまたは場合によっては変更され得ることに留意されたい。
【００７３】
[0082]添付の図面に関して上記に記載した詳細な説明は、例示的な実施形態について説明しており、実装され得るまたは特許請求の範囲内に入る実施形態のみを表すものではない。この説明にわたって使用される「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【００７４】
[0083]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７５】
[0084]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【００７６】
[0085]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような選言的列挙を示す。
【００７７】
[0086]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００７８】
[0087]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示した原理および新規の特徴に一致する最も広い範囲を与えられるべきである。
【００７９】
[0088]本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａおよびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上記のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願発明の当初の特許請求の範囲に記載された発明を付記する。
［Ｃ１］
ユーザ機器（ＵＥ）におけるワイヤレス通信の方法であって、
ハイブリッド自動再送要求（ＨＡＲＱ）プロセスに関連する１つまたは複数のメッセージのコンテンツに基づいて、前記ＨＡＲＱプロセスのためのアップリンク（ＵＬ）再送信が不要であると決定することと、
前記決定に少なくとも部分的に基づいて間欠受信（ＤＲＸ）スリープ期間を識別することと、
前記ＤＲＸスリープ期間の間ＤＲＸスリープ状態に入ることと
を備える、方法。
［Ｃ２］
前記ＤＲＸスリープ期間が、前記ＨＡＲＱプロセスのためのＵＬ再送信サブフレームを含む、Ｃ１に記載の方法。
［Ｃ３］
前記１つまたは複数のメッセージがＵＬ送信を含み、前記コンテンツが媒体アクセス制御（ＭＡＣ）レイヤデータを備える、Ｃ１に記載の方法。
［Ｃ４］
前記ＤＲＸスリープ期間が、前記ＨＡＲＱプロセスのための物理ＨＡＲＱインジケータチャネル（ＰＨＩＣＨ）サブフレームを含む、Ｃ３に記載の方法。
［Ｃ５］
ＨＡＲＱプロセスのためのＵＬ再送信が不要であると決定することは、
前記ＭＡＣレイヤデータがＭＡＣレイヤパディングデータを含むと決定すること
を備える、Ｃ３に記載の方法。
［Ｃ６］
前記コンテンツが非アプリケーションデータを含む、Ｃ３に記載の方法。
［Ｃ７］
前記１つまたは複数のメッセージが、前記ＨＡＲＱプロセスに関連する確認応答メッセージ（ＡＭ）を含む、Ｃ１に記載の方法。
［Ｃ８］
前記ＡＭが、前記ＨＡＲＱプロセスに関連する適応再送信の指示なしに送信されたと決定すること
をさらに備える、Ｃ７に記載の方法。
［Ｃ９］
前記ＤＲＸスリープ期間が、前記ＨＡＲＱプロセスに関連する確認応答メッセージ（ＡＭ）と新しいＨＡＲＱプロセスとの間のサブフレームを備える、Ｃ１に記載の方法。
［Ｃ１０］
前記ＤＲＸスリープ期間が、前記ＨＡＲＱプロセスに関連するアップリンク送信と新しいＨＡＲＱプロセスとの間のサブフレームを備える、Ｃ１に記載の方法。
［Ｃ１１］
前記ＤＲＸスリープ期間の後にＤＲＸアクティブ状態に入ること
をさらに備える、Ｃ１に記載の方法。
［Ｃ１２］
前記ＤＲＸスリープ期間が、前記ＨＡＲＱプロセスに関連するダウンリンク（ＤＬ）ＡＭサブフレームを含む、Ｃ１に記載の方法。
［Ｃ１３］
ユーザ機器（ＵＥ）におけるワイヤレス通信のための装置であって、
ハイブリッド自動再送要求（ＨＡＲＱ）プロセスに関連する１つまたは複数のメッセージのコンテンツに基づいて、前記ＨＡＲＱプロセスのためのアップリンク（ＵＬ）再送信が不要であると決定するための手段と、
前記決定に少なくとも部分的に基づいて間欠受信（ＤＲＸ）スリープ期間を識別するための手段と、
前記ＤＲＸスリープ期間の間ＤＲＸスリープ状態に入るための手段と
を備える、装置。
［Ｃ１４］
プロセッサと、前記プロセッサと電子通信しているメモリと、前記メモリに記憶された命令とを備える、ユーザ機器（ＵＥ）におけるワイヤレス通信のための装置であって、前記命令は、
ハイブリッド自動再送要求（ＨＡＲＱ）プロセスに関連する１つまたは複数のメッセージのコンテンツに基づいて、前記ＨＡＲＱプロセスのためのアップリンク（ＵＬ）再送信が不要であると決定することと、
前記決定に少なくとも部分的に基づいて間欠受信（ＤＲＸ）スリープ期間を識別することと、
前記ＤＲＸスリープ期間の間ＤＲＸスリープ状態に入ることと
を行うために前記プロセッサによって実行可能である、装置。
［Ｃ１５］
前記ＤＲＸスリープ期間が、前記ＨＡＲＱプロセスのためのＵＬ再送信サブフレームを含む、Ｃ１４に記載の装置。
［Ｃ１６］
前記１つまたは複数のメッセージがＵＬ送信を含み、前記コンテンツが媒体アクセス制御（ＭＡＣ）レイヤデータを備える、Ｃ１４に記載の装置。
［Ｃ１７］
前記ＤＲＸスリープ期間が、前記ＨＡＲＱプロセスのための物理ＨＡＲＱインジケータチャネル（ＰＨＩＣＨ）サブフレームを含む、Ｃ１６に記載の装置。
［Ｃ１８］
ＨＡＲＱプロセスのためのＵＬ再送信が不要であると決定することは、
前記ＭＡＣレイヤデータがＭＡＣレイヤパディングデータを含むと決定すること
を備える、Ｃ１６に記載の装置。
［Ｃ１９］
前記コンテンツが非アプリケーションデータを含む、Ｃ１６に記載の装置。
［Ｃ２０］
前記１つまたは複数のメッセージが、前記ＨＡＲＱプロセスに関連する確認応答メッセージ（ＡＭ）を含む、Ｃ１４に記載の装置。
［Ｃ２１］
前記命令は、
前記ＡＭが、前記ＨＡＲＱプロセスに関連する適応再送信の指示なしに送信されたと決定すること
を行うために前記プロセッサによってさらに実行可能である、Ｃ２０に記載の装置。
［Ｃ２２］
前記ＤＲＸスリープ期間が、前記ＨＡＲＱプロセスに関連する確認応答メッセージ（ＡＭ）と新しいＨＡＲＱプロセスとの間のサブフレームを備える、Ｃ１４に記載の装置。
［Ｃ２３］
前記ＤＲＸスリープ期間が、前記ＨＡＲＱプロセスに関連するアップリンク送信と新しいＨＡＲＱプロセスとの間のサブフレームを備える、Ｃ１４に記載の装置。
［Ｃ２４］
前記命令が、
前記ＤＲＸスリープ期間の後にＤＲＸアクティブ状態に入ること
を行うために前記プロセッサによってさらに実行可能である、Ｃ１４に記載の装置。
［Ｃ２５］
前記ＤＲＸスリープ期間が、前記ＨＡＲＱプロセスに関連するダウンリンク（ＤＬ）ＡＭサブフレームを含む、Ｃ１４に記載の装置。
［Ｃ２６］
ユーザ機器（ＵＥ）におけるワイヤレス通信のためのコードを記憶する非一時的コンピュータ可読媒体であって、前記コードは、
ハイブリッド自動再送要求（ＨＡＲＱ）プロセスに関連する１つまたは複数のメッセージのコンテンツに基づいて、前記ＨＡＲＱプロセスのためのアップリンク（ＵＬ）再送信が不要であると決定することと、
前記決定に少なくとも部分的に基づいて間欠受信（ＤＲＸ）スリープ期間を識別することと、
前記ＤＲＸスリープ期間の間ＤＲＸスリープ状態に入ることと
を行うためにプロセッサによって実行可能な命令を備える、非一時的コンピュータ可読媒体。
［Ｃ２７］
前記ＤＲＸスリープ期間が、前記ＨＡＲＱプロセスのためのＵＬ再送信サブフレームを含む、Ｃ２６に記載の非一時的コンピュータ可読媒体。
［Ｃ２８］
前記１つまたは複数のメッセージがＵＬ送信を含み、前記コンテンツが媒体アクセス制御（ＭＡＣ）レイヤデータを備える、Ｃ２６に記載の非一時的コンピュータ可読媒体。
［Ｃ２９］
前記ＤＲＸスリープ期間が、前記ＨＡＲＱプロセスのための物理ＨＡＲＱインジケータチャネル（ＰＨＩＣＨ）サブフレームを含む、Ｃ２８に記載の非一時的コンピュータ可読媒体。
［Ｃ３０］
ＨＡＲＱプロセスのためのＵＬ再送信が不要であると決定することは、
前記ＭＡＣレイヤデータがＭＡＣレイヤパディングデータを含むと決定すること
を備える、Ｃ２８に記載の非一時的コンピュータ可読媒体。
【図１】
0006542264.tif 000002
【図２】
0006542264.tif 000003
【図３】
0006542264.tif 000004
【図４】
0006542264.tif 000005
【図５】
0006542264.tif 000006
【図６】
0006542264.tif 000007
【図７】
0006542264.tif 000008
【図８】
0006542264.tif 000009
【図９】
0006542264.tif 000010
【図１０】
0006542264.tif 000011